(57)【要約】トレーニング器具は、容器によって閉鎖された中空空間を有し、中空空間は固体材料からなり自由に移動可能な粒子で部分的に満たされている。中空空間は実質的に細長い形状である。実施の形態において、細長い中空空間は、円筒形状のチューブによって形成される。
2006524536.tif 000002
【特許請求の範囲】
【請求項１】
容器によって閉鎖された中空空間を有し、この空間は固体材料からなり自由に移動可能な粒子で部分的に満たされており、前記中空空間は実質的に細長い形状であることを特徴とするトレーニング器具。
【請求項２】
請求項１に記載のトレーニング器具において、
前記容器はチューブであることを特徴とするトレーニング器具。
【請求項３】
請求項２に記載のトレーニング器具において、
前記チューブは、円筒形状であることを特徴とするトレーニング器具。
【請求項４】
請求項１から請求項３のいずれか１項に記載のトレーニング器具において、
前記中空空間の長さは、約１０ｃｍから約７５ｃｍの間であることを特徴とするトレーニング器具。
【請求項５】
請求項１から請求項４のいずれか１項に記載のトレーニング器具において、
前記トレーニング器具の直径は、約１０ｍｍから約１５０ｍｍの間であることを特徴とするトレーニング器具。
【請求項６】
請求項１から請求項５のいずれか１項に記載のトレーニング器具において、
前記中空空間の約１／４から約５／６は、前記固体材料の移動自由な粒子で満たされることを特徴とするトレーニング器具。
【請求項７】
請求項１から請求項６のいずれか１項に記載のトレーニング器具において、
前記固体材料の移動自由な粒子は、粒状材料からなることを特徴とするトレーニング器具。
【請求項８】
請求項１から請求項７のいずれか１項に記載のトレーニング器具において、
前記固体材料の移動自由な粒子は、破片状の材料からなることを特徴とするトレーニング器具。
【請求項９】
請求項１から請求項８のいずれか１項に記載のトレーニング器具において、
前記固体材料の移動自由な粒子は、スレートチップからなることを特徴とするトレーニング器具。
【請求項１０】
請求項１から請求項９のいずれか１項に記載のトレーニング器具において、
前記固体材料の粒子の直径は、最大で約５ｍｍであることを特徴とするトレーニング器具。
【請求項１１】
請求項１から請求項１０のいずれか１項に記載のトレーニング器具において、
前記固体材料の粒子の比重量は、約０．７×１０３kg/m３から約１５×１０３kg/m３の間であることを特徴とするトレーニング器具。
【請求項１２】
請求項１から請求項１１のいずれか１項に記載のトレーニング器具において、
前記トレーニング器具の総重量は、約０．２５ｋｇから約５ｋｇの間であることを特徴とするトレーニング器具。
【請求項１３】
請求項１から請求項１２のいずれか１項に記載のトレーニング器具において、
前記細長い中空空間は、密閉されることを特徴とするトレーニング器具。
【請求項１４】
請求項１から請求項１３のいずれか１項に記載のトレーニング器具において、
前記細長い中空空間は、湿気を遮断するように閉鎖されることを特徴とするトレーニング器具。
【請求項１５】
請求項１から請求項１４のいずれか１項に記載のトレーニング器具において、
前記トレーニング器具の端部に隣接して、前記トレーニング器具の長手軸に実質的に交差する方向に延在するフランジ端を備えることを特徴とするトレーニング器具。
【請求項１６】
請求項１から請求項１５のいずれか１項に記載のトレーニング器具において、
前記固体材料の移動自由な粒子は、相互の衝突、および/または前記トレーニング器具の壁および/または端面との衝突により音を発することを特徴とするトレーニング器具。
【請求項１７】
請求項１から請求項１６のいずれか１項に記載のトレーニング器具において、
前記トレーニング器具は連結部品と連結され、この連結部品はさらに、前記トレーニング器具に対して実質的に平行に配置された、別の同様なトレーニング器具に連結されることを特徴とするトレーニング器具。
【請求項１８】
請求項１から請求項１７のいずれか１項に記載のトレーニング器具において、
前記トレーニング器具は、四肢への取り付けのためのアクセサリと連結されることを特徴とするトレーニング器具。
【請求項１９】
請求項１から請求項１８のいずれか１項に記載のトレーニング器具において、
前記連結部品および中間部品は一体化されていることを特徴とするトレーニング器具。
【請求項２０】
手に持って使用され、固体材料の移動自由な粒子で部分的に満たされた細長い中空空間を有し、互いに実質的に平行に配置された２つのトレーニング器具を連結する連結部品であって、前記連結部品は、連結ブロックと、前記トレーニング器具同士を連結する連結手段を有することを特徴とする連結部品。
【請求項２１】
請求項２０に記載の連結部品において、
トレーニング器具を連結する前記連結手段は、ラピッドカップリングにより前記トレーニング器具を抱き込む下部バネと引張バネとを備えることを特徴とする連結部品。
【請求項２２】
請求項２０または請求項２１に記載の連結部品において、
前記連結ブロックには、四肢への固定のための固定ベルトを受ける接続手段が設けられていることを特徴とする連結部品。
【請求項２３】
トレーニング器具を使用することにより、結合組織に機械的に負荷を加える方法であって、中空空間を部分的に満たす固体材料の移動自由な粒子の加速または減速によって、ユーザの結合組織に反力が与えられ、この反力は、一部がすぐに、別の一部は遅れて発生することを特徴とする方法。
【発明の詳細な説明】
【技術分野】
【０００１】
本発明は、容器によって閉じられた中空空間を有するトレーニング器具に関し、この空間には、固体材料からなり自由に移動可能な粒子が部分的に充填されている。
【背景技術】
【０００２】
このようなトレーニング器具として、ＤＥ３６０９３６３に開示されたものが知られている。これには、球状の中空空間を備えるダンベルが記載されている。実施形態の一つでは、この中空空間を粒状物質で部分的に満たし、ダンベルの全重量と仮想重心の位置が設定できるようにしている。
このようなダンベルを用いたトレーニングによって、繰返し負荷をかけて筋肉と結合組織を強化することができる。
【発明の開示】
【発明が解決しようとする課題】
【０００３】
本発明は、プレアンブルに記載のトレーニング器具を提供することを目的とし、トレーニング器具の使用中に筋肉をさらに強化し、筋肉の運動中に結合組織、より具体的には、深層の結合組織構造に追加で機械的な負荷をかけるようにする。
【課題を解決するための手段】
【０００４】
このために、本発明によると、トレーニング器具内の中空空間を実質的に細長い形状としている。
【０００５】
実質的に細長い形状のトレーニング器具内に中空空間を形成することにより、器具の長手方向の加速および減速中にユーザが特別な効果を受ける器具を実現した。上述した方向の加速および減速中に、固体材料の移動自由な粒子の一部は、容器に対して移動しない。これは、これらの粒子は、すでに、ユーザによって加えられる力とは反対方向にある細長い中空空間の端部に接しているためである。これらの粒子は容器とともに、ダンベルの中空空間内の粒状物質の重さに相当する「静止質量」を構成し、このため、筋肉組織および結合組織性外膜に対して直接的な反力を与える。固体材料の移動自由な粒子のうちの残りの部分は、加速および減速中に、初めの段階では細長い中空空間内で移動を開始するのみであり、ユーザが要求されるエネルギーは比較的わずかである。しかし、ある移行時間の後、中空空間のそれぞれの端部に粒子が到達しても、粒子はなおも加速または減速されるので、最終的には全粒子が容器と同じ速度で移動することになる。これは上記特別な効果、すなわちユーザに対する遅延反力を発生させ、筋肉が収縮した後に、追加の機械的負荷をユーザの筋肉および結合組織に加える。その結果、筋肉が強化され、結合組織の張力と構造が調整される。追加の機械的反力は、「静止質量」による直接的な反力を与える場合のように筋肉組織とその結合組織性外膜だけでなく、姿勢および筋骨格系の骨組織、およびより具体的には深層結合組織構造に加え、関節の被膜／靱帯装置、神経内部および周囲の結合組織、血管壁中の結合組織、半月および椎間板に与えられる。中空空間のそれぞれの端部に粒子が全部同時に到達しないということから、反力は時間的にやや分散して発生する。その結果、「静止質量」の場合のように、追加負荷が一時点で与えられることがなく、ある長さの時間をかけて増加し、そして再び徐々に低下する。従って、追加負荷は、短時間の激しい衝撃ではなく、柔らかく、弾力のある自然な刺激となる。これにより、追加反力によって組織が引っ張られることがなく、負傷の発生を防ぐことができるという効果が得られる。追加負荷をかけることの特別な効果は、動きの開始（加速）と動きの終了（減速）のときに起こる。細長い中空空間の方向を変更することにより、結合組織にかけられる負荷も変化する。
【０００６】
トレーニング器具が使い勝手よく手に収まり、また、シンプルな形状を有するように、容器はチューブであることが望ましい。これは、コスト面で有利である。チューブは中空空間の周囲を形成するだけでなく、ユーザのためのグリップを形成する。ただし、人間工学的に形成されたグリップをチューブの周囲もしくはチューブ上に設けたトレーニング器具を提供することもできる。筒状デザインのチューブを製作することにより、固体材料の移動自由な粒子にかけられる動的なエネルギー(ダイナミクス)が一次元的となり、細長い形状から逸脱した構成を採用しないので上記動的なエネルギーが妨げられることがない。トレーニング器具により三次元的な運動を行うことによって、ユーザは結合組織を集中して三次元的に鍛えることができる。
【０００７】
粒子(微小物質)は、所定の構造とする必要はないが、例えばスレートチップのように粒状、または破片状とする。固体材料の移動自由な粒子の形状をふぞろいにすることにより、反力が一層ゆっくりと増大および低下するトレーニング器具を得ることができる。トレーニング器具を使用するとき、形状がふぞろいであるため、粒子の運動がエンドキャップで減速されるときに粒子はスライドして接触しあう。互いに接触すると、粒子は回転し、傾きながら、エンドキャップに対する粒子全体の合計距離が最も小さくなる位置まで移動する。この間、粒子の運動エネルギーは、少なくとも全部ではないが、容器に伝達され、結果として反力が遅れる。さらに、少なくとも運動エネルギーの一部が熱に変換される。これらの２つの作用によって、短時間の激しい衝撃の発生がさらに抑えられ、負傷発生の可能性を低減する。
【０００８】
固体材料の移動自由な粒子は、相互の衝突、および/または壁との衝突、および／又はトレーニング器具の端面との衝突により音を発生する。これは、例えばチューブ壁、中空空間の端面および/または素材を硬い仕様としたり、粒子が湿気を吸わないように非吸湿性の固体材料から粒子を作ることによって実現できる。音により、ユーザ、およびおそらく近くにいる人たちに対しても、ある程度の強度でトレーニングが行われているという実感を与えられる。より具体的には、トレーニング器具をリズミカルに使用することにより、一層、この作用を得ることができる。
【０００９】
トレーニング器具を、連結部品により別の同様なトレーニング器具に連結することにより、ユーザは反力を発生させる重さを調節することができ、より具体的には、刺激を与えようとしている結合組織に見合った仕様に設定することができる。
【００１０】
アクセサリによって腕、手、脚および足等の四肢に任意にトレーニング器具を固定することによって、手で器具を握る必要がなくなる。これにより、ユーザは下肢の結合組織に対しても刺激を与えることができる。
【００１１】
本発明は更に連結部品に関する。
【００１２】
本発明は更にトレーニング器具の使用方法に関する。
【００１３】
本発明の有利な実施の形態は従属する請求項に記載されている。
【００１４】
本発明を、図面に示す実施の形態に基づいてより詳細に説明する。
【図面の簡単な説明】
【００１５】
【図１】本発明による互いに連結された２つのトレーニング器具の模式図を示す。
【図２】本発明による連結部品の模式図を示す。
【図３】図２に示す連結部品とクランプされた図１のトレーニング器具の模式図を示す。
【図４】本発明による接続部品の模式図を示す。
【図５】本発明による別の接続部品の模式図を示す。
【図６】図５に示す接続部品の連結ブロックの模式図を示す。
【図７】図１に示すトレーニング器具の模式図であり、エンドキャップに追加ウェイトを設けた状態を示す。
【図８】図１に示すトレーニング器具の模式図であり、リング状の追加ウェイトを設けた状態を示す。
【発明を実施するための最良の形態】
【００１６】
これらの図面は、本発明による実施の形態を概略的に表すのみである。図面において、同一もしくは対応する箇所には、同一の参照符号を付している。
【００１７】
図１は、トレーニング器具１が、連結部品１０によって別の同様なトレーニング器具１と連結された状態を示している。トレーニング器具１は、細長い中空のチューブ２を備えており、その端面は、エンドキャップ３として設計されている。エンドキャップ３は異なる外形を有することが可能で、例えば、図１に示すように、回転対称型の外形４や、人間工学的に形成された切抜部６を備える外形５とすることができる。さらに、エンドキャップ３にフランジ端７を設けることが望ましく、このフランジ端は、中空チューブ２の長手軸Ａを実質的に横切る方向に延在する。フランジ端７は、ストッパを構成し、トレーニング器具のユーザが手で器具１を扱っているがチューブ２を離してしまいそうな場合に、器具１がユーザの手からすぐに滑り落ちないにする。手のひらの内側がフランジ端に当接することにより、再びグリップできるようにする。
【００１８】
細長いチューブ２は、中空空間(不図示)を取り囲むように形成されており、この中空空間は、固形物からなり自由に移動可能な粒子（不図示）で部分的に満たされている。チューブ２の長手軸Ａに沿ってトレーニング器具１を加速、または減速することによって、固形物の粒子も、また、加速または減速する。しかし、粒子の一部は反力によって直接反応するが、残りの粒子はある程度の移行時間の経過後に反応する。これは、これらの粒子がまだエンドキャップ３に当たっておらず、まず、中空空間の一部を通って移動するためである。これにより、減速が実現される。即座に反応する粒子は即座にユーザに反力を与え、一方、残りの粒子は遅延して、すなわち移行時間経過後に反力を与える。即座に作用する反力と遅延して作用する反力との組み合わせにより、即座に負荷を与えるだけの場合に比べて、結合組織に対する良好な機械的負荷を得ることができる。さらに、深層結合組織構造に追加のエクストラで負荷を与えるので、これらの組織にもまた機械的負荷を与えることができる。
【００１９】
結合組織には、内部で粒子が加速または減速されるチューブ２の長手軸Ａに平行な方向に負荷がかけられるが、三次元的な構成を有するので、他の方向にも負荷をかけることができる。トレーニング器具１の向きを変え、減速および加速の方向を変えることにより、ユーザは結合組織に集中して負荷をかけることができ、最適なトレーニング効果を得ることができる。
【００２０】
遅延効果を得るために、チューブ２の空洞を、細長い形状としている。トレーニング器具の取り扱い性能を良好とするために、中空チューブ２の長さを、例えば約１０ｃｍから約７５ｃｍの範囲内、望ましくは約４０ｃｍに制限した。チューブ２の直径は、約１０ｍｍから約１５０ｍｍの範囲内、望ましくは５０ｍｍから６５ｍｍの範囲内とする。
【００２１】
中空チューブ２は、固体材料の移動自由な粒子で一部のみが満たされており、粒子は移動可能で遅延効果を実現できるようにしている。この観点から、中空チューブ２の、例えば、約１／４から約５／６、望ましくは最大２／３を、上記粒子で満たす。
【００２２】
粒子が大き過ぎると、小さく離散した力のパルスが連続的に発生する。このため、固体材料の粒子については、粒子が大きすぎないことが重要である。例えば、粒子の直径を最大で約５ｍｍとする。これにより、粒子がユーザに与える反力の遅延効果が徐々に増大、そして減少し、自然な流れを与えるようにする。従って、遅延反力は、急に変動する強い衝撃ではなく、柔らかく、弾力のある自然な刺激となる。強い衝撃については、例えば、容器によって閉鎖された中空空間に液体や、例えば比較的大きな質量の球状の物体を充填する場合に相当する。粒子の寸法は、例えば約２ｍｍ×約１ｍｍ×約０．３ｍｍとすることが望ましい。粒子は、所定の構造とする必要はないが、例えばスレートチップのように粒状、または破片状とする。粒子の比重量は所望するトレーニング器具の全重量に関係する。器具の全重量は、例えば約０．２５ｋｇから約５ｋｇの間で、約０．７５ｋｇのタイプおよび約１．５ｋｇのタイプに形成することが望ましい。これにより、トレーニングを積んでいない、もしくはあまりトレーニングをしていない人でも器具の容易な取り扱いが可能となる。個々の器具の全重について、より詳細なレンジをもつトレーニング器具のセットを製造することも、もちろん可能である。細長い空洞内に充填する粒子の比重量は、例えば約０．７×１０３ｋｇ/ｍ３から約１５×１０３ｋｇ/ｍ３の間、望ましくは約２．７×１０３ｋｇ/ｍ３から約８×１０３ｋｇ/ｍ３とする。固体材料の粒子は均質としたり、粒子の混合物としてもよい。さらに、例えば、スレートチップのように、個々の粒子でサイズが異なるようにしてもよい。ただし、サイズ分布の均一な粒子を充填したチューブ２を提供することも可能である。
【００２３】
移動自由な固体材料の粒子を比較的大量に充填した比較的軽いチューブ２を提供することによって、静止質量によって即座に発生する反力に対して遅延反力の割合が大きくなる。これは、瞬間的な力は結合組織に対して大したトレーニング効果を及ぼさないので、望ましいことである。静止質量は、移動自由な粒子が含まれた空洞チューブ２の重さ、およびエンドキャップ３からなる。移動自由な粒子と静止質量との間の比率は、約１から約３０の間が望ましく、約１．５から約２．５の間がより望ましい。
【００２４】
チューブ２の中空空間を密封して、すなわち気密に閉鎖することにより、中空チューブ２に流出入する空気が粒子に対して付加的に推力を与えて遅延効果を低下してしまうことがない。これにより、また、中空チューブ２の使用中にトレーニング器具から粉末粒子を含む空気が流出することを防止し、トレーニング器具のユーザとユーザ周囲の環境を汚してしまうことを防ぐ。有利なことに、エンドキャップ３を強固で耐久性のある接着剤を用いて中空チューブ２に接着することによって、比較的簡単に、かつ安価に気密な中空空間を得ることができる。チューブ２をさらに水密に封鎖すると、粒子が吸湿することによって、例えば粒子同士が固まって粒子の実質寸法が一気に増大するなどして、全く異なる物理的作用を示すことを防止できる。
【００２５】
固体材料の移動自由な粒子は、互いの衝突、壁との衝突、および／又はトレーニング器具の端面との衝突の際に音を発する。チューブ２内に非吸湿性で、さらに壁とエンドキャップ３のように硬い粒子を含めることで、この効果を高めることができる。例えばスレートチップを用いた場合がこれに相当するが、例えば種々の粒状の砂利や砂等の他の材料も可能である。チューブ２の壁とエンドキャップ３の材料は、例えばアルミニウム等の金属、または固く、耐摩耗性のあるプラスチックである。金属壁を有する中空チューブ２の使用によって、人間工学的にさらに魅力的なトレーニング器具を得ることができる。すなわち、金属が体温を放散するので、チューブを握っている手の発汗を抑えることができる。結果として、チューブのグリップ性を高めるためにグリップの外形を設計する必要がない。腐食等を防ぐためにアルミニウムに陽極処理を施すことが望ましい。粒子とエンドキャップとの強い相互作用を考慮して、硬く、かつ軽いプラスチックをエンドキャップに使用することが望ましい。したがって、実施の形態においては、例えばアルミニウムのチューブとプラスチックのエンドキャップから構成する。
【００２６】
図１において、トレーニング器具１は連結部品１０によって異なる寸法を有する、別の同様なトレーニング器具１に連結されている。２つのチューブ２の長手軸は、ほぼ一致している。結果として、結合組織に対するトレーニング効果を高めることができる。連結部品を図２及び図３にも示す。ここで、例えばアルミニウム等の金属、またはプラスチックから製造される略ブロック形状の連結ブロック１１が、２つのトレーニング器具１を連結する機構とともに設けられている。このため、連結ブロック１１は、連結ブロック１１にヒンジ結合された２つの下部バネ１２および２つの引張バネ１３を有する。さらに、下部バネ１２は、例えばクリップ等の閉鎖部品１４に固定され、連結ブロック１１、下部バネ１２、閉鎖部品１４および引張バネ１３がラピッド(高速)カップリングとしてトレーニング器具１を抱き込む。ただし、テンションストラップを用いた別のラピッドカップリングの使用も可能である。
【００２７】
さらに、連結ブロック１１に例えばスロット１５といった接続手段を設ける。例えば固定ベルト等の固定手段をこのスロットに通し、トレーニング器具をアクセサリとして連結部品１０により四肢に固定することができるようにする。したがって、ユーザは下肢の結合組織に対しても機械的に負荷をかけることができる。
【００２８】
図４は、接続部品１１０の第１の実施の形態を示す。この接続部品は、例えば前腕や下腿等の四肢に取り付けるのにも適している。エンドキャップ３を有する中空チューブ２は、ラピッドカップリング１６または別の連結部材により、接続ブロック１２０に固定されている。接続ブロック１２０は、四肢に取り付けるための固定部材を備えている。固定部材を、四肢に巻きつけられる接続ベルト１８を通す突起１７とスロット１８として構成することができ、接続部品１１０は四肢に実質的にしっかりと取り付けられる。例えばラピッドカップリングを使用する等、固定部材を異なるデザインとすることももちろん可能である。
【００２９】
さらに、図５は、特に足への取り付けに適した接続部品１１０の第２の実施の形態を示す。接続部品１１０は、上述したように中空チューブ２に取り付け可能な接続ブロック１２０を備える。接続ブロック１２０は足または履き物の底を支持可能な、または当接可能なソールプレート２０を有する。また、接続ブロック１２０は、ソールプレート２０を実質的に横切る方向に、足１９の踵や履物の底の支持もしくは当接のための後端面２３を備えている。後端面２３が揺動するように構成することもできる。図５には示していないが、固定ベルトや、例えば図４に示すようなラピッドカップリング等の他の固定手段を用いて足を接続ブロック１２０に固定することができる。固定手段を接続ブロック１２０に固定する複数の係合ポイントを設けることにより、種々のサイズの足に適した接続部品１１０を得ることができる。
【００３０】
図６は、ソールプレート２０と後端面２３を備える接続ブロック１２０を下から見たときの斜視図である。後端面２３を、ソールプレート２０の上部だけでなく下部にも延在させることでき、この場合、後端面でも中空チューブ２を支持することができる。さらに、ソールプレート２０の下側には、横方向の移動を防止するように、中空チューブ２を支持可能な空間２７が設けられている。複数の空間２７を設けることによって、ソールプレート２０に複数のおよび／又は異なるタイプの中空チューブ２を固定することができ、異なる重さの物体(器具）でトレーニングを行うことが可能となる。図６に示すように、中空チューブ２の長手軸は実質的に足の長手軸に平行である。また、例えば実質的に足の長手軸に交差する方向など、別の方向とすることももちろん可能である。
【００３１】
なお、接続部品１１０は、スレートチップで充填された中空チューブ２への適用には限定されない。本発明は、とくに接続部品を備えるトレーニング器具に関し、四肢に第２のトレーニング器具を連結するものに関する。接続部品は、四肢への固定用の固定部材と、容器によって閉鎖された中空空間を有する第２のトレーニング器具に連結する連結部材とを備える。中空空間は固体材料の移動自由な粒子で部分的に充填されるとともに、実質的に細長い形状に設計される。
【００３２】
トレーニング器具全体の質量を大きくするために、エンドキャップ３に追加ウェイト３０を設けてもよい。追加ウェイト３０はほぞ穴とほぞ継手でエンドキャップ３に取り外し可能に連結される。ネジ接続等の他の接続部材ももちろん可能である。図８に示すように、追加ウェイトをリング状に形成し、スリーブのように中空チューブ２を取り囲むようにすることもできる。リング状ウェイト３５は、例えばヒンジ機構３６を備えた実質的に硬い物体で、中空チューブ２の周りを取り巻くように固定可能である。より弾性のある形状も可能で、例えばスナップ機構等の固定部材により中空チューブ２を取り巻くことができる柔軟性のある物体とすることもできる。追加ウェイト３０、３５により、筋肉および結合組織に対してより集中的なトレーニングが可能となる。
【００３３】
本発明は上述した実施の形態に限定されるものではない。種々の変形が可能である。
チューブ２の直径だけでなく長さによっても、トレーニング器具１の全重量を表すことが可能である。ただし、チューブ２またはエンドキャップ３に使用する色によって重量を表すことも可能である。
【００３４】
これらの変形例も当業者には明らかであり、特許請求の範囲に記載の本発明の範囲内に属すると理解されるべきである。
【図１】
2006524536.tif 000003
【図２】
2006524536.tif 000004
【図３】
2006524536.tif 000005
【図４】
2006524536.tif 000006
【図５】
2006524536.tif 000007
【図６】
2006524536.tif 000008
【図７】
2006524536.tif 000009
【図８】
2006524536.tif 000010
【国際調査報告】
2006524536.tif 000011
2006524536.tif 000012
2006524536.tif 000013
2006524536.tif 000014
2006524536.tif 000015